(57)【特許請求の範囲】
【請求項１】
見開き構造を有するインテリア商品用サンプル帳であって、
商品見本と、当該商品見本と同一の商品の写真とが並列して掲載され、
前記商品の写真は、実際の長さを目盛りに表示した罫線上に掲載された
ことを特徴とするインテリア商品用サンプル帳。
【請求項２】
見開きの頁の一方に、商品見本と、当該商品見本と同一の商品の写真とが並列して掲載され、
前記商品の写真は、実際の長さを目盛りに表示した罫線上に掲載されており、
他方の頁に、当該商品の使用状態を示した写真が掲載された
ことを特徴とする請求項１に記載のインテリア商品用サンプル帳。
【請求項３】
見開き構造を有するインテリア商品用サンプル帳であって、
商品見本と、当該商品見本と同一の商品の写真とが並列して掲載され、
前記商品の写真には、縮尺による実際の長さが表示された目盛が直接付された
ことを特徴とするインテリア商品用サンプル帳。
【請求項４】
見開きの頁の一方に、商品見本と、当該商品見本と同一の商品の写真とが並列して掲載され、
前記商品の写真には、縮尺による実際の長さが表示された目盛が直接付されており、
他方の頁に、当該商品の使用状態を示した写真が掲載された
ことを特徴とする請求項３に記載のインテリア商品用サンプル帳。
【請求項５】
更に、折り込まれた頁を有し、
前記折り込まれた頁は、折り込み部を開くと、当該折り込まれた頁の上側の頁に掲載された写真または商品見本の少なくとも一種と、前記折り込み部を開いた部分に掲載された写真または商品見本の少なくとも一種とを、並列させて同時に比較できるように設けられた
ことを特徴とする請求項１〜４の何れか一項に記載のインテリア商品用サンプル帳。
【発明の詳細な説明】
【０００１】
【発明の属する技術分野】
本発明は、見開き構造を有するサンプル帳において、サンプル帳に縮尺して掲載された商品に実際の長さを表記すること、または折り込み頁を設け、前記折り込み頁の折り込み部分に商品の見本等を貼付等することにより、前記折り込み頁より前にある頁に貼付等された商品の見本等と並列、比較することが可能なサンプル帳に関する。
【０００２】
【従来の技術】
従来、床材、壁紙、カーテン、巾木等のインテリア商品のサンプル帳では色、柄等の意匠が重要であるため、商品を数ｃｍから十数ｃｍにカットした商品見本を貼付することが多かった。一方、サンプル帳の大きさ、頁数に限りが有り、商品見本以外にも商品についての情報、例えば、商品の価格、性能、用途、使用状態の写真等を掲載しなければならず、サンプル帳に商品見本を貼付するには限界があった。このような状況の中、各商品を縮小した写真を掲載し、前記商品見本の補完的な役割のため用いるようになった。また、インテリア商品はトータルインテリアという言葉にも示されるように、床材、壁紙、カーテン、巾木等の組合せで選択されることが多いが、サンプル帳は通常、商品種ごとに掲載頁が区分されていたり、サンプル帳自体が別々になっていた。例えば、ある床材に適切な巾木を選択する場合には床材の掲載頁と巾木の掲載頁とを交互に開いて見比べながら適切な巾木を選択しなければならなかった。
【０００３】
【発明が解決しようとする課題】
しかしながら、サンプル帳に各商品を縮小した写真を掲載した場合、どの程度の縮尺で掲載されているかわからないため、実際の床材等の意匠を把握することが困難なことが多かった。また、異種の商品、例えば、上述した床材と巾木とを選択する場合には、床材のサンプル帳と巾木のサンプル帳とを突き合わせたり、一冊のサンプル帳に床材と巾木が掲載されている場合では上述したように商品種ごとに掲載頁が区分されているため、床材の掲載頁と巾木の掲載頁とを交互に開くこと等により、床材と巾木の組合せが適切かどうかを判断しなければならず、サンプル帳自体非常に扱いにくいという問題が有った。
【０００４】
【課題を解決するための手段】
そこで、本発明は上記問題点を解決するものであり、請求項１記載の発明は見開き構造を有するサンプル帳において、文字、及び／又は記号、並びに一定の縮尺で設けられ、かつ前記縮尺による実際の長さを表示した互いに直交する複数の罫線（以下、罫線と記す）上に各商品の写真、絵、図面、記号の中の少なくとも一種を掲載したことを特徴とするサンプル帳を提供するものである。
【０００５】
また、請求項２記載の発明は見開き構造を有するサンプル帳において、文字、及び／又は記号、並びに各商品の写真、絵、図面の中の少なくとも一種を掲載し、前記商品の写真、絵、図面に縮尺による実際の長さを表示したことを特徴とするサンプル帳を提供するものである。
【０００６】
請求項３記載の発明は見開き構造を有するサンプル帳において、商品見本と前記商品見本と同一の商品の写真、絵、図面の中の少なくとも一種を並列して掲載し、前記商品の写真、絵、図面の縮尺による実際の長さを目盛とともに表示したことを特徴とするサンプル帳を提供するものである。
【０００７】
請求項４記載の発明は見開き構造を有するサンプル帳において、見開きの頁の一方に文字、記号、線図及び使用状態を示した写真、絵、図面の中の少なくとも一種を掲載し、他方の頁に文字、線図、記号、及び対象商品の見本と前記対象商品を縮小した写真、絵、図面の少なくとも一種を実際の長さとともに表示したことを特徴とするサンプル帳を提供するものである。
【０００８】
請求項５記載の発明は見開き構造を有するサンプル帳において、折り込まれた頁を有し、前記頁の折り込み部を開くと前記頁の上側にくる頁に掲載された文字、線図、写真、絵、図面、記号、対象商品の見本の少なくとも一種と前記折り込み部を開いた部分に掲載、又は貼付された文字、線図、写真、絵、図面、記号、対象商品の見本の少なくとも一種とが並列させてを同時に比較できるように設けられたことを特徴とするサンプル帳を提供するものである。
【０００９】
請求項６記載の発明は見開き構造を有するサンプル帳において、折り込まれた頁を有し、前記頁の折り込み部を開くと前記頁の上側にくる頁に掲載された文字、線図、写真、絵、図面、記号、対象商品の見本の少なくとも一種と前記折り込み部を開いた部分に掲載、又は貼付された文字、線図、写真、絵、図面、記号、対象商品の見本の少なくとも一種とが並列させてを同時に比較できるように設けられたことを特徴とする請求項１〜４のいずれかに記載されたサンプル帳を提供するものである。
【００１０】
【発明の実施の形態】
以下、本発明について図面を参照しつつ詳述する。図１に見開き構造を有する本発明サンプル帳の閉じた状態の一例の斜視図を示し、図２に縮尺による実際の長さを表示した罫線上に各商品の写真が掲載されている見開きの片側一頁を示す一例の平面図を示す。
【００１１】
図２に一例として示すように、サンプル帳の見開きの頁には実際の長さを表示した罫線上に各商品の写真が掲載されている。罫線は図２で示すように、全て一定間隔で碁盤状に設けられても良し、商品毎に異なった縮小比で表示し、それに伴って罫線の線自体の本数を変更しても良い。
【００１２】
縮尺による実際の長さを表示する罫線を設ける場合、写真等で掲載されている商品が実際にはどのくらいの大きさになるかが理解できるように、当該罫線間の間隔の実際の長さを明示しなければならない。前記罫線間の間隔の実際の長さを明示することにより、各商品の縮尺の度合いが分かり、掲載されている商品の模様の大きさや当該商品を実際に施工した場合にどのような状態になるかを容易に推測することができる。また、当然ではあるが、前記罫線に上述した効果を奏させるためには、長方形、又は正方形に表示された商品の写真等の互いに直角をなす端部の２辺は互いに直交する罫線上に合わせる必要がある。図２ではａ、ｂの２辺が罫線上に合わされている状態を示す。
【００１３】
また、サンプル帳の性質上、罫線の間隔の縮尺による実際の長さの他、商品の簡単な説明や前記商品の商標の他、ＪＩＳ、ＩＳＯ、エコマーク等の公的な表示、記号を掲載しても良い。さらに、商品を表示する方法として、写真の他、絵、図面等商品を表示できるものであれば特に限定されない。
【００１４】
また、上述した罫線を用いて掲載した写真等の実際の大きさの表示の他、各々の掲載された商品の写真等の端部に目盛、及び実際の長さを表示してもよい。図３に見開きの片側一頁に商品の写真等の端部に目盛、及び実際の長さを表示した一例の部分平面図を示す。本実施形態によっても、上述した罫線による実際の長さ表示により、模様の大きさを把握可能である。しかしながら、商品の写真等に直接目盛を付し、目盛間の長さを表示することもできるため、罫線による実施態様の場合と比較して、模様の大小等により個別的に対応が容易であり、サンプル帳の掲載において柔軟性な対応が可能となる。
【００１５】
図４に本発明サンプル帳の他の一例として、見開き片頁に施工状態の写真、もう一方の片頁には商品見本、及び商品の全体を示した写真であって、その端部に目盛りと共に実際の長さを付したものを並列掲載した一例の平面図を示す。例えば、床材、壁紙等のインテリア商品の場合、商品見本をサンプル帳に貼付することが一般的であるが、サンプル帳に貼付される見本は商品の極一部であり、当該見本により商品の意匠の全体像を把握するのは極めて困難である。そこで、商品見本と商品の意匠の全体像が把握できる程度に現した写真等を並列して掲載し、上述した罫線、又は写真等の端部に目盛りを付することにより、当該写真等の実際の長さを把握可能にする。したがって、そうすることで、商品見本による質感や肌触り等を知ることができ、さらに、並列して掲載された写真等により、前記商品の意匠の全体像が把握可能となる。また、商品が実際に現場で施工された写真を見開き片頁に掲載し、もう一方の見開き片頁には商標見本と実際の長さを付与した目盛を付した写真等を並列して掲載するとさらに商品の内容の理解を深めることができる。
【００１６】
さらに、サンプル帳に折り込まれた頁（以下、折り込み頁と記す）を設け、前記頁の折り込み部を開くと前記頁の上側にくる頁に掲載された文字、線図、写真、絵、図面、記号、対象商品の見本の少なくとも一種と前記折り込み部を開いた部分に掲載、又は貼付された文字、線図、写真、絵、図面、記号、対象商品の見本の少なくとも一種とが並列させてを同時に比較できるようにすることにより、通常サンプル帳においては、分けられている商品同士を並列、比較することができる。図５に見開き片頁に折り込み頁２を設けた一例の平面図を示し、図６に折り込み頁４の折り込み部５を開いた状態の一例の平面図を示し、図７には折り込み頁１の折り込み部２を開くことにより、前記折り込み部５に掲載された商品の写真等と前記折り込み頁４より前の頁に掲載された商品等の写真等とを並列させた状態の一例の平面図を示す。
【００１７】
図５、及び６に示すように、折り込み頁の折り込み部は開閉自在の設けられている。折り込み部には商品見本の他、写真、線図、商品の一覧表、商品等のデータ等並列、照合して把握するものであれば、特に限定されない。特に床材、巾木、壁紙等インテリア関連の商品は組み合せて選択される場合が多く、折り込み頁を設けたサンプル帳は非常に有用である。図５に示すように、折り込み部２を開いたときに商品見本や商品の写真を貼付、又は掲載する。また、折り込み頁１の折り込み部２以外には商品見本、写真、線図、商品の一覧表、商品等のデータ等必要な情報を掲載することもできる。図７に一例として示すように、折り込み頁の折り込み部５を開き、前記折り込み頁４の前の頁を開くことにより、当該頁に掲載等された商品の見本等と前記折り込み部４に掲載等された商品の見本等とを並列させて把握することが可能となる。また、折り込み部の外側面、即ち、折り込んだときに外側になる面に商品の見本、写真等を掲載し、当該商品の見本等と本折り込み頁より後ろにある折り込み頁の折り込み部を開いて、双方の商品見本等を並列させ、比較することも可能である。したがって、例えば、特に床材、壁紙、カーテン、巾木等のように、組み合せて選択されることが多い商品であって、商品種ごとに掲載頁が区分されていたり、サンプル帳自体が分けられたりするインテリア商品のサンプル帳として使用することは、商品見本等を頁を開き直しながら比較する必要もなく、また、サンプル帳同士を突き合わせて比較する必要もないため、取り扱い上からも極めて利便性が向上する。
【００１８】
【発明の効果】
本発明は以上の実施形態で実施され、以下の効果を奏する。
【００１９】
本発明サンプル帳は各商品を縮小した写真を掲載した場合でも、一定の縮尺の互いに直交する罫線と当該罫線間の実際の長さを表示し、又は商品の写真等に直接目盛を付与し、当該目盛間の実際の長さを表示するため、商品の全体的な意匠等の外観やその大きさを把握することができる。
【００２０】
また、商品見本と商品、又は意匠の全体の写真等を並列の設けると、商品見本により質感や肌触り等が認識でき、前記に直接目盛りを付し商品、又は意匠の全体の写真等により外観、又は意匠の全体像を把握でき、商品自体の内容の理解を容易に深めることができる。
【００２１】
さらに、折り込み頁の折り込み部を設け、前記折り込み頁の前の頁を開くことにより、当該頁に掲載等された商品の見本等と前記折り込み部に掲載等された商品の見本等とを容易に並列させて把握することが可能となる。したがって、例えば、特に床材、壁紙、カーテン、巾木等のように、組み合せて選択されることが多い商品であって、商品種ごとに掲載頁が区分されていたり、サンプル帳自体が分けられたりするインテリア商品のサンプル帳として使用することは商品見本等を頁を開き直しながら比較する必要もなく、また、サンプル帳同士を突き合わせて比較する必要もないため、より容易に異なった商品群等を並列させて把握することが可能であり、取り扱い易さ、及び利便性も著しく向上する。
【図面の簡単な説明】
【図１】  本発明サンプル帳の見開き構造を有する本発明サンプル帳の閉じた状態の一例の斜視図を示す。
【図２】  本発明サンプル帳の縮尺による実際の長さを表示した罫線上に各商品の写真が掲載されている見開きの片側一頁を示す一例の平面図を示す。
【図３】  本発明サンプル帳の見開きの片側一頁に商品の写真等の端部に目盛、及び実際の長さを表示した一例の部分平面図を示す。
【図４】  本発明サンプル帳の見開き片頁に施工状態の写真、もう一方の片頁には商品見本、及び商品の全体を示した写真であって、その端部に目盛りと共に実際の長さを付したものを並列掲載した一例の平面図を示す。
【図５】  本発明サンプル帳の見開き片頁に折り込み頁を設けた一例の平面図を示す。
【図６】  本発明サンプル帳の折り込み頁の折り込み部を開いた状態の一例の平面図を示す。
【図７】  本発明サンプル帳の折り込み頁の折り込み部を開くことにより、前記折り込み部に掲載された商品の写真等と前記折り込み頁より前の頁に掲載された商品等の写真等とを並列させた状態の一例の平面図を示す。
【符号の説明】
１、４        折り込み頁
２、５、７    折り込み部
見開き片頁
８            折り込み頁より前の頁であって、商品等の写真等が掲載されている頁
Ｓ１〜Ｓ８    商品見本、写真、絵、線図等
【図１】
0004627388.tif 000002
【図２】
0004627388.tif 000003
【図３】
0004627388.tif 000004
【図４】
0004627388.tif 000005
【図５】
0004627388.tif 000006
【図６】
0004627388.tif 000007
【図７】
0004627388.tif 000008